(57)【要約】【課題】機器本体のスイッチ回路を操作することによって、機器本体は勿論、外付けされた電池パックの動作をも制御することのできる電子機器を提供する。【解決手段】リチウムイオン電池を電源とする電源回路６１と電源回路６１の動作を制御する第１制御回路６３とを有する電池パック６０と、電池パック６０が電路を介して外付けされる機器本体５０とからなり、この機器本体５０に、機器本体５０の動作を制御する第２制御回路５４が内蔵されている。第２制御回路５４にスイッチ回路５２が接続され、このスイッチ回路５２が、第１制御回路６３にも接続されている。【選択図】図６
0003212227.tif 000002
【実用新案登録請求の範囲】
【請求項１】
リチウムイオン電池を電源とする電源回路とスイッチ回路と上記電源回路の動作を制御する第１制御回路とを有する電池パックと、この電池パックが電路を介して外付けされる機器本体とからなり、上記スイッチ回路と上記第１制御回路とが接続され、上記機器本体に、当該機器本体の動作を制御する第２制御回路が内蔵されている電子機器であって、
上記スイッチ回路が上記第２制御回路にも接続されていることを特徴とする電子機器。
【請求項２】
上記機器本体がスピーカーなどの出力用デバイスを備え、その出力用デバイスの動作が上記第２制御回路の作用によって制御されるように構成されている請求項１に記載した電子機器。
【請求項３】
リチウムイオン電池を電源とする電源回路と上記電源回路の動作を制御する第１制御回路とを有する電池パックと、この電池パックが電路を介して外付けされる機器本体とからなり、この機器本体に、当該機器本体の動作を制御する第２制御回路が内蔵されている電子機器であって、
上記第２制御回路にスイッチ回路が接続され、このスイッチ回路が、上記第１制御回路にも接続されていることを特徴とする電子機器。
【請求項４】
上記機器本体が、衣類に装着された発熱体を備え、その発熱体の動作が上記第２制御回路の作用によって制御されるように構成されている請求項３に記載した電子機器。
【考案の詳細な説明】
【技術分野】
【０００１】
本考案は、電子機器、特に、動作機器としての機器本体に、リチウムイオン電池を電源とする電池パックが、端子などの電路を介して一体的に、又は、電気コードなどの電路を介して外付けされるタイプの電子機器に関する。
【背景技術】
【０００２】
先行例として、本体部の一端に外付けバッテリーを着脱自在に装着し得る携帯型電話機についての記述がある（たとえば、特許文献１参照）。
【０００３】
一方、卓上型や可搬型の音響光学機器、衣類に装着して使用される保温暖房用機器といった電子機器にあっては、周知のように、その電源として、リチウムイオン電池を用いた電池パックが多用されている。この種の電池パックは、過充電や過放電などを未然に防止してその安全性を確保するための対策として、リチウムイオン電池を電源とする電源回路の動作を制御する制御回路を内蔵しているだけでなく、その制御回路に操作ボタンを有するスイッチ回路が接続されている。これに対し、上記した音響光学機器や保温暖房用機器といった機器本体には、音響光学デバイスや保温暖房用デバイスの動作を制御する制御回路が内蔵されていて、その制御回路には、必要な動作モードを設定したり選択したりするための操作ボタンなどを有するスイッチ回路が接続されている。
【０００４】
そして、従来のこの種の電子機器では、機器本体の動作モードを設定したり選択したりするときには、機器本体に設けられている操作ボタンなどを操作することが不可欠で、電池パック側から機器本体の動作モードを設定したり選択したりすることができなかった。また、電池パックの電源の投入には、その電池パックに設けられているスイッチ回路の操作ボタンを操作することが不可欠で、機器本体側から電池パックの電源を投入することができなかった。
【先行技術文献】
【特許文献】
【０００５】
【特許文献１】特開２０００−１０１６９６号公報
【考案の概要】
【考案が解決しようとする課題】
【０００６】
上記のように、従来の電子機器では、電池パック側からの操作によって機器本体の動作を制御したり、機器本体側からの操作によって電池パックの動作を制御したりすることができなかった。そのため、電子機器の種類やタイプによっては、電池パック及び機器本体のうちの一方側の操作ボタンを操作してから他方側の操作ボタンを操作しなければならないという煩わしさがある、という問題があった。
【０００７】
本考案は、この問題に鑑みてなされたものであり、電池パックのスイッチ回路を操作することによって、電池パックは勿論、機器本体の動作をも制御することのできる電子機器を提供することを目的とする。また、本考案は、機器本体のスイッチ回路を操作することによって、機器本体は勿論、電池パックの動作をも制御することのできる電子機器を提供することを目的とする。
【課題を解決するための手段】
【０００８】
本考案に係る電子機器は、リチウムイオン電池を電源とする電源回路とスイッチ回路と上記電源回路の動作を制御する第１制御回路とを有する電池パックと、この電池パックが電路を介して外付けされる機器本体とからなり、上記スイッチ回路と上記第１制御回路とが接続され、上記機器本体に、当該機器本体の動作を制御する第２制御回路が内蔵されている。そして、上記スイッチ回路が上記第２制御回路にも接続されている、というものである。このように構成された電子機器によれば、電池パック側のスイッチ回路を操作することによって、機器本体側の第２制御回路の動作を制御することが可能になる。したがって、電池パックのスイッチ回路を操作することによって、電池パックは勿論、機器本体の動作をも制御することができる。
【０００９】
本考案では、上記機器本体がスピーカーなどの出力用デバイスを備え、その出力用デバイスの動作が上記第２制御回路の作用によって制御されるように構成されている、というものであってもよい。このものによれば、機器本体の出力用デバイスの動作を、電池パック側のスイッチ回路によって制御することが可能である。
【００１０】
本考案に係る電子機器は、リチウムイオン電池を電源とする電源回路と上記電源回路の動作を制御する第１制御回路とを有する電池パックと、この電池パックが電路を介して外付けされる機器本体とからなり、この機器本体に、当該機器本体の動作を制御する第２制御回路が内蔵されている。そして、上記第２制御回路にスイッチ回路が接続され、このスイッチ回路が、上記第１制御回路にも接続されている、というものであってもよい。このように構成された電子機器によれば、機器本体側のスイッチ回路を操作することによって、電池パック側の第１制御回路の動作を制御することが可能になる。したがって、機器本体のスイッチ回路を操作することによって、機器本体は勿論、電池パックの動作をも制御することができる。
【００１１】
本考案では、上記機器本体が、衣類に装着された発熱体を備え、その発熱体の動作が上記第２制御回路の作用によって制御されるように構成されている、というものであってもよい。このものによれば、機器本体の発熱体の動作、言い換えると発熱体による発熱温度を、機器本体側のスイッチ回路によって制御することが可能である。
【考案の効果】
【００１２】
上記したように、本考案によれば、機器本体に電池パックが外付けされるタイプの電子機器において、電池パックのスイッチ回路を操作することによって、電池パックは勿論、機器本体の動作をも制御することのできる電子機器を提供することが可能になる。また、機器本体のスイッチ回路を操作することによって、機器本体は勿論、電池パックの動作をも制御することのできる電子機器を提供することが可能になる。
【図面の簡単な説明】
【００１３】
【図１】請求項１及び請求項２に対応する電子機器の機器本体及び電池パックを示した側面図である。
【図２】機器本体に電池パックが外付けされてなる電子機器の平面図である。
【図３】機器本体の部分正面図である。
【図４】電子機器に採用されている電池パック及び機器本体に係る電気回路を概略で示したブロック図である。
【図５】請求項３及び請求項４に対応する電子機器の適用例を示した説明図である。
【図６】別の電子機器に採用されている電池パック及び機器本体に係る電気回路を概略で示したブロック図である。
【考案を実施するための形態】
【００１４】
図１から図３には請求項１及び請求項２に対応する電子機器の具体例を例示してあり、図１は機器本体１０及び電池パック２０の側面図、図２は機器本体１０に電池パック２０が外付けされてなる電子機器Ａの平面図、図３は機器本体１０の部分正面図である。
【００１５】
機器本体１０は円柱状の外観を有し、その側部に凹入状に形成された電池パックホルダー部１１が一体に設けられている。この機器本体１０は、スピーカーやＬＥＤ光源などの出力用デバイス（不図示）を内蔵している。また、上記ホルダー部１１の表面には、電源端子１２，１３や信号端子１４が設けられている。なお、一方側の電源端子１３が信号端子に共用されている。また、ホルダー部１１の側面に、機器本体１０の動作を制御するときに使用される複数の操作ボタン１５〜１９が設けられている。これに対し、電池パック２０は円柱状の外観を有し、その側部に電源端子２２，２３や信号端子２４が設けられている。なお、一方側の電源端子２３が信号端子に共用されている。また、電池パック２０の側面に、この電池パック２０の動作を制御するときに使用される操作ボタン２５が設けられている。そして、電池パック２０を機器本体１０のホルダー部１１に嵌め込むことによって、電池パック２０が機器本体１０に外付けされ、機器本体１０側の電源端子１２，１３や信号端子１４に、電池パック２０側の電源端子２２，２３や信号端子２４が個別に接触して電気的に接続されるようになっている。また、電池パック２０はホルダー部１１に内蔵磁石の磁力によって保持される。
【００１６】
図４は上記電子機器Ａに採用されている電池パック２０及び機器本体１０に係る電気回路を概略で示したブロック図である。
【００１７】
図４のように、電池パック２０は、電源回路４１とスイッチ回路４２と第１制御回路４３とを備えている。電源回路４１はＬｉイオン電池を電源として有しているほか、ＩＣや遮断回路などを有している。ＩＣや遮断回路は電池パック２０に外付けされた機器本体１０への電力の供給や遮断の動作を第１制御回路４３からの制御によって行う。スイッチ回路４２は図１に示した操作ボタン２５を有しており、第１制御回路４３にはスイッチ回路４２が接続されている。また、第１制御回路４３は、電源回路４１からの電力の供給を受けて動作し、スイッチ回路４２によって生成される信号の処理を行って、電源回路４１を制御する。そのほか、第１制御回路４３は、Ｌｉイオン電池の充電制御や温度管理や放電量の監視、タイマーなどの機能を有している。
【００１８】
一方、機器本体１０は、第２制御回路４４を有している。この第２制御回路４４には、電池パック２０側の電源端子２２，３３及び機器本体１０側の電源端子１２，１３を介して電池パック２０の電源回路４１から電力が供給される。第２制御回路４４は、機器本体１０の動作を制御するものであり、たとえば図３に示した操作ボタン１５〜１９を選択的に操作することによって、スピーカーＳＰの音量を変化させたり、ＬＥＤ光源の発光パターンを変化させたり、さらには、スピーカーＳＰによる音楽再生時の選曲のための処理を行ったりする。電池パック２０側のスイッチ回路４２は、電池パック２０及び機器本体１０の信号端子２４，１４及び信号路として共用されている電源端子２３，１３を介してこの第２制御回路４４にも接続されている。電池パック２０側のスイッチ回路４２を機器本体１０側の第２制御回路４４に接続するための信号路を符号Ｓ１で示している。
【００１９】
図１、図４に示した電子機器Ａにおいて、電池パック２０側のスイッチ回路４２の操作ボタン２５を所定のパターン（たとえば長押し）で操作すると、第１制御回路４３が電源回路４１を制御してＩＣや遮断回路の作用により、機器本体１０に電源回路４１から電力が供給される。この状態で、操作ボタン２５を所定のパターン（たとえばクリック操作）で操作すると、その操作に対応して機器本体１０側の第２制御回路４４が所定の処理を開始し、スピーカーＳＰなどの出力用デバイスの動作が制御される。したがって、電池パック２０側のスイッチ回路４２の操作によって機器本体１０の動作が制御されることになる。これは、電池パック２０側のスイッチ回路４２が、電池パック２０側の第１制御回路４３だけでなく、機器本体１０側の第２制御回路４４にも接続されていることによる。また、操作ボタン２５が所定のパターン（たとえば長押し）で操作されてスピーカーＳＰなどの出力用デバイスの動作が停止すると、一定時間後に、第１制御回路４３が電源回路４１を制御してＩＣや遮断回路の作用により、機器本体１０への電力の供給が停止される。
【００２０】
図５は請求項３及び請求項４に対応する電子機器Ｂの適用例を示した説明図である。また、図６は上記電子機器Ｂに採用されている電池パック６０及び機器本体５０に係る電気回路を概略で示したブロック図である。
【００２１】
この実施形態の電子機器Ｂは、衣類１００に装着された発熱体Ｈを備える機器本体５０（図６参照）と、この機器本体５０に外付けされる電池パック６０とを備えている。図５又は図６に示したように、この実施形態では、電池パック６０と発熱体Ｈとが電気コードＣによって電気的に接続されていて、電池パック６０は、たとえば衣類１００のポケットに入れたり、あるいは、使用者の腰に装着したりして携行される。図６に示したように、電気コードＣは、電力供給路Ｃ１，Ｃ２と信号路Ｃ３とを備えていて、一方側の電力供給路Ｃ２が信号路に共用されている。また、機器本体５０に押しボタンユニット５１を有するスイッチ回路５２が設けられている。この押しボタンユニット５１はたとえばスイッチ回路５２から延長されて衣類１００のポケットに入れて携行される。
【００２２】
図６のように、電池パック６０は、電源回路６１とスイッチ回路６２と第１制御回路６３とを備えている。電源回路６１はＬｉイオン電池を電源として有しているほか、ＩＣや遮断回路などを有している。ＩＣや遮断回路は電池パック６０に外付けされた機器本体５０への電力の供給の調整の動作を第１制御回路６３からの制御によって行う。スイッチ回路６２は電池パック６０に設けられた操作ボタン（不図示）を有している。第１制御回路６３にはスイッチ回路６２が接続されている。また、第１制御回路６３は、電源回路６１からの電力の供給を受けて動作し、スイッチ回路６２によって生成される信号の処理を行って、電源回路４１を制御する。そのほか、第１制御回路６３は、Ｌｉイオン電池の充電制御や温度管理や放電量の監視、タイマーなどの機能を有している。
【００２３】
一方、機器本体５０は、第２制御回路５４を有している。この第２制御回路５４には、電力供給路Ｃ１，Ｃ２を介して電池パック６０の電源回路６１から電力が供給される。第２制御回路５４は、機器本体５０の動作を制御する。具体的には、発熱体Ｈの動作のオンとオフと温度制御を行う。機器本体５０側のスイッチ回路５２は、信号路Ｃ３及び信号路として共用される電力供給路Ｃ２を介して電池パック６０側の第１制御回路６３にも接続されている。機器本体５０側のスイッチ回路５２を電池パック６０側の第１制御回路６３に接続するための信号路を符号Ｓ２で示している。
【００２４】
なお、この実施形態において、機器本体５０に電池パック６０を外付けした状態では、電池パック６０側の電源回路６１から機器本体５０側のスイッチ回路５２や第２制御回路５４にその動作に必要最小限の電力として微弱電流が供給されていて、その微弱電流を利用して機器本体５０側のスイッチ回路５２や第２制御回路５４を動作させることができるようになっている。
【００２５】
図６に示した電子機器Ｂにおいて、機器本体５０側の押しボタンユニット５１を所定のパターン（たとえば長押し）で操作すると、電池パック６０側の第１制御回路６３が電源回路６１を制御してＩＣや遮断回路の作用により、機器本体５０に電源回路４１から発熱体Ｈの動作に必要な十分量の電力が供給される。したがって、機器本体５０側のスイッチ回路５２の操作によって電池パック６０の動作、具体的には電源回路６１の動作が制御されることになる。これは、機器本体５０側のスイッチ回路５２が、機器本体５０側の第２制御回路５４だけでなく、電池パック６０側の第１制御回路６３にも接続されていることによる。機器本体５０側の第２制御回路５４に電源回路６１から電力が供給されている状態で、押しボタンユニット５１を所定のパターン（たとえばクリック操作）で操作すると、その操作に対応して機器本体５０側の第２制御回路５４が所定の処理を開始し、発熱体Ｈの動作のオンとオフや温度制御が行われる。また、押しボタンユニット５１が所定のパターン（たとえば長押し）で操作されて発熱体Ｈの動作が停止すると、一定時間後に、第１制御回路６３が電源回路６１を制御してＩＣや遮断回路の作用により、機器本体５０への前記十分量の電力の供給が停止され、機器本体５０側のスイッチ回路５２や第２制御回路５４の動作に必要な最小限の電力に調整される。
【符号の説明】
【００２６】
１０，５０  機器本体
２０，６０  電池パック
４１，６１  電源回路
４２，６２  スイッチ回路
４３，６３  第１制御回路
４４，５４  第２制御回路
ＳＰ  スピーカー（出力用デバイス）
Ｈ  発熱体
【図１】
0003212227.tif 000003
【図２】
0003212227.tif 000004
【図３】
0003212227.tif 000005
【図４】
0003212227.tif 000006
【図５】
0003212227.tif 000007
【図６】
0003212227.tif 000008